(57)【要約】【課題】  メイン経路における任意のポイントからの信号をサブバスに送ることができると共に、サブ経路においてメイン経路と異なる内容の信号処理を施せるようにする。【解決手段】  第１の選択スイッチＳＷ１は、複数の処理部３０〜３５の任意のポイントからの信号を選択してＭＩＸバス３７へ送り、このサブ経路にそれぞれ異なる種類の信号処理を行う複数の処理部３９〜４１からなる第２の処理部と、ＭＩＸバス３７へ送る入力信号のセンドレベルを調整するセンドレベル調整部４２とが挿入されている。【選択図】  図３
2008252171.tif 000002
【特許請求の範囲】
【請求項１】
ミキシングを行うメインバスとサブバスとを有しているミキシングバスと、
入力信号のそれぞれに対し信号処理を行って前記メインバスと前記サブバスへ選択的に出力する複数の入力チャンネルとを備え、
前記各入力チャンネルにおいて、入力信号にそれぞれ異なる種類の信号処理を行う複数の処理部からなる第１の処理部が前記メインバスへ送るメイン経路に設けられており、該第１の処理部における前記複数の処理部の任意のポイントからの信号を選択して前記サブバスへ送る少なくとも１つのサブ経路が設けられ、該サブ経路にそれぞれ異なる種類の信号処理を行う複数の処理部からなる第２の処理部と、前記サブバスへ送る入力信号のセンドレベルを調整するセンドレベル調整手段とが挿入されており、
前記第２の処理部が行う信号処理の種類が、前記第１の処理部が行う信号処理の種類に対応していることを特徴とする音響機器。
【請求項２】
前記第２の処理部における各処理部に、前記第１の処理部における対応する種類の処理部に設定されているパラメータ値、あるいは、任意のパラメータ値のいずれかを選択して設定することができるようにしたことを特徴とする請求項１記載の音響機器。
【請求項３】
前記第２の処理部における各処理部毎にバイパスする設定を行うことができるようにしたことを特徴とする請求項１または２記載の音響機器。
【発明の詳細な説明】
【技術分野】
【０００１】
この発明は、入力される信号に信号処理を施してミキシングバスへ出力する入力チャンネルを備える音響機器に関する。
【背景技術】
【０００２】
従来、多数のマイクロホンあるいは電気・電子楽器などから出力されるオーディオ信号のレベルや周波数特性を調整してミキシングし、パワーアンプに送り出すコンサートホール等で使用されるミキサと呼ばれる音響機器が知られている。ミキサを操作するオペレータは、楽器音や歌唱の各オーディオ信号の音量や音色を、ミキサにおける各種パネル操作子を操作することにより、演奏を最もふさわしく表現していると思われる状態に調整している。ミキシング装置は、入力信号系列として複数の入力チャンネルと該入力チャンネルから出力される信号をミキシングするバスと、ミキシングされた信号を出力する出力系列である出力チャンネルを備えている。各入力チャンネルはそれぞれ入力する信号の周波数特性やミキシングレベル等を制御して各ミキシングバスに出力し、各ミキシングバスはそれぞれ入力する信号をミキシングして対応する出力チャンネルに出力する。出力チャンネルからの出力は増幅されてスピーカ等から放音される。
【特許文献１】特開２００７−４３２４９号公報
【発明の開示】
【発明が解決しようとする課題】
【０００３】
従来のミキサにおける入力チャンネルとミキシングを行うバスの構成を図９に示す。
入力チャンネルにおいては、Φ１３０、ＡＴＴ１３１、ＨＰＦ１３２、ＰＥＱ１３３、ＧＡＴＥ１３４、ＣＯＭＰ１３５、ＦＡＤＥＲ１３６のそれぞれ異なる信号処理を行う各信号処理モジュールが縦続してメイン経路に接続されている。Φ１３０は入力信号のフェイズを切り替える処理を行う位相器であり、ＡＴＴ１３１は入力信号のレベルを減衰又は増幅する処理を行うレベル制御器である。ＨＰＦ１３２は特定周波数より低域成分を除去する処理を行うハイパスフィルタであり、ＰＥＱ１３２は入力信号の周波数特性を調整する処理を行うパラメトリックイコライザである。また、ＧＡＴＥ１３４は入力レベルがスレッショルドレベル以下となると出力レベルを急激に小さくする処理を行うゲートであり、ＣＯＭＰ１３５は信号のダイナミックレンジを圧縮する処理を行うコンプレッサである。ＦＡＤＥＲ１３６はチャンネルの入力レベルを調整する処理を行うフェーダであり、チャンネルがＤＣＡグループに属している場合はＤＣＡグループに属している複数のチャンネルのレベルを一括操作するＤＣＡフェーダによっても操作される。
【０００４】
ＦＡＤＥＲ１３６から出力される入力信号はチャンネルのオン／オフを切り換えるスイッチＯＮを介してパンＰＡＮ１に供給され、音像の定位が設定されたＬ、Ｒ信号がメインバスであるステレオバス（ＳＴバス）１３８にそれぞれ供給される。また、サブ経路を構成する第１の選択スイッチＳＷ１からの信号はミキシングバス（ＭＩＸバス）１３７へ送られる信号のセンドレベルを調整する第１のセンドレベル調整器（ＭＩＸ  ＳＥＮＤ１）１３９を介してパンＰＡＮ２に供給され、音像の定位が設定されたＬ、Ｒ信号がサブバスであるＭＩＸバス１３７の内の２本のバスにそれぞれ供給される。第１の選択スイッチＳＷ１は、ＣＯＭＰ１３５を経由したポストコンプ信号（Ｐ．Ｃ）とＦＡＤＥＲ１３６を経由したポストフェーダ信号（Ｐ．Ｆ）とＨＰＦ１３２を経由したポストハイパス信号（Ｐ．Ｈ）との内のいずれかの信号を選択している。さらに、別のサブ経路を構成する第２の選択スイッチＳＷ２からの信号はＭＩＸバス１３７へ送られる信号のセンドレベルを調整する第２のセンドレベル調整器（ＭＩＸ  ＳＥＮＤ２）１４０を介してパンＰＡＮ３に供給され、音像の定位が設定されたＬ、Ｒ信号がサブバスであるＭＩＸバス１３７の内の２本のバスにそれぞれ供給される。第２の選択スイッチＳＷ２も、ＣＯＭＰ１３５を経由したポストコンプ信号（Ｐ．Ｃ）とＦＡＤＥＲ１３６を経由したポストフェーダ信号（Ｐ．Ｆ）とＨＰＦ１３２を経由したポストハイパス信号（Ｐ．Ｈ）との内のいずれかの信号を選択している。
【０００５】
ここで、選択スイッチＳＷ１，ＳＷ２においてポストコンプ信号あるいはポストフェーダ信号が選択されてＭＩＸバス１３７へ入力信号が送られる場合は、その入力信号にはＰＥＱ１３２によるイコライザ処理、ＧＡＴＥ１３４によるゲート処理およびＣＯＭＰ１３５によるコンプレッサ処理の各信号処理が施される。この場合、サブ経路においてメイン経路と異なる内容の信号処理を施したいときがあるが、このような信号処理を施せないという問題点があった。また、選択スイッチＳＷ１，ＳＷ２においてポストハイパス信号（Ｐ．Ｈ）が選択されてＭＩＸバス１３７へ送られる場合は、その信号にはイコライザ処理、ゲート処理およびコンプレッサ処理を施すことができないという問題点があった。さらに、ＭＩＸバス１３７に送る入力信号を選択するポイントが３種類しかなく、メイン経路における任意のポイントからの信号をＭＩＸバス１３７に送ることができないという問題点があった。
【０００６】
そこで、本発明はメイン経路における任意のポイントからの信号をサブバスに送ることができると共に、サブ経路においてメイン経路と異なる内容の信号処理を施せる音響機器を提供することを目的としている。
【課題を解決するための手段】
【０００７】
上記目的を達成するために、本発明の音響機器は、メインバスへ送るメイン経路に設けられている第１の処理部における任意のポイントからの信号を選択してサブバスへ送る少なくとも１つのサブ経路が設けられ、該サブ経路に第２の処理部が挿入されて、第２の処理部が行う信号処理の種類が、第１の処理部が行う信号処理の種類に対応していることを最も主要な特徴としている。
【発明の効果】
【０００８】
本発明によれば、メインバスへ送るメイン経路に設けられている第１の処理部における任意のポイントからの信号を選択してサブバスへ送る少なくとも１つのサブ経路が設けられ、該サブ経路に第２の処理部が挿入されて、第２の処理部が行う信号処理の種類が、第１の処理部が行う信号処理の種類に対応していることから、メインバスへ送るメイン経路に設けられている第１の処理部の任意のポイントからサブバスへ送ることができると共に、第２の処理部において任意のポイントからの信号に対してメインバスへ送る信号に第２の信号処理部によりメイン経路と異なる内容の信号処理を施すことができるようになる。
【発明を実施するための最良の形態】
【０００９】
本発明の実施例にかかるミキサ等とされる音響機器の概要の構成を示すブロック図を図１に示す。
図１に示す音響機器１は、ミキサとされた際にミキシング処理を行う信号処理回路２と、ミキシング処理の制御を行う処理回路３とを備えている。処理回路３はＣＰＵ（Central Processing Unit）を備え、ミキシング操作を行う操作子６からの操作信号に応じてミキシング処理の制御を行うと共に、各種設定を行える操作画面等を表示器７に表示している。信号処理回路２はＤＳＰ（Digital Signal Processor）を備え、音声信号入力回路４から入力された複数の入力系列のオーディオ信号に処理回路３からの制御信号に応じてミキシング処理を施し、複数の出力系列の音声信号出力回路５に出力している。
【００１０】
次に、本発明にかかる音響機器１の詳細な構成を示すブロック図を図２に示す。
図２において、ＣＰＵ（Central Processing Unit）１０は処理回路３を構成しており、音響機器１の全体の動作を制御すると共に、表示器１６に各種設定を行う操作画面等を表示する描画プログラムや制御用プログラム等の動作ソフトウェアを実行している。ＲＯＭ（Read Only Memory）１１には、ＣＰＵ１０が実行する描画プログラムや制御用プログラム等の動作ソフトウェアが格納されており、ＲＡＭ（Random Access Memory）１２には、ＣＰＵ１０のワークエリアや各種データの記憶エリアが設定されている。このＲＯＭ１１をフラッシュメモリ等の書き換え可能なＲＯＭとすることで、動作ソフトウェアを書き換え可能となり、動作ソフトウェアのバージョンアップを容易に行うことができる。ＤＳＰ１３は複数種類の信号処理を行う信号処理回路２を構成しており、前記したように複数の入力系列のオーディオ信号に複数種類の信号処理を施している。
【００１１】
検出回路１５は、パネル操作子等の操作子１４を走査することによって操作子１４のイベントを検出して、イベントのあった操作子１４に対応するイベント出力を出力している。操作子１４には、各チャンネルの入力信号の特性を制御する操作子やシーンの切換を行ったりするための多数の操作子が含まれている。この操作子１４では、ＤＳＰ１３が行う入力信号のフェイズ処理、レベル処理、周波数特性処理等のパラメータ値を設定したり調整したりすることができる。表示回路１７は液晶表示器（ＬＣＤ）等の表示器１６を備え、この表示器１６に各チャンネルの入力信号に施す信号処理の種類等を設定する際の操作画面等が表示される。各種操作は、ＧＵＩ（Graphical User Interface）を利用した操作画面上においてユーザが設定操作を行えるようにされている。通信インターフェース（Ｉ／Ｆ）１９は、外部機器１８を接続するインターフェースであり、このインタフェースを介して音響機器１と外部機器１８とが論理的に接続される。音声信号入力回路２１は図１に示す音声信号入力回路４に相当し、外部音を取り込むためのマイクなどの入力部２０から音響信号を音響機器１へ取り込んでおり、音声信号出力回路２３は図１に示す音声信号出力回路５に相当し、音響機器１から出力されるミキシング処理等の信号処理された音響信号を外部のスピーカ等の出力部２２へ出力して放音している。入力部２０は、マイク／ラインのオーディオ信号を入力する入力ユニットとすることができ、出力部２２はスピーカ等から放音する出力ユニットとすることができる。これらの各部は通信バス２４に接続されて、通信バス２４を介してデータの授受を行っている。
【００１２】
次に、音響機器１における入力チャンネルとミキシングを行うバスの構成を示すブロック図を図３に示す。
入力チャンネルにおいては、Φ３０、ＡＴＴ３１、ＨＰＦ３２、ＰＥＱ３３、ＧＡＴＥ３４、ＣＯＭＰ３５、ＦＡＤＥＲ３６の複数の信号処理モジュールからなる第１の処理部が、メインバスであるステレオバス（ＳＴ）３８へ送るメイン経路に接続されている。この第１の信号処理部における縦続されている複数の信号処理モジュールによりそれぞれ異なる種類の信号処理が入力信号に施される。ここで、Φ３０は入力信号の正相・逆相のフェイズを切り替える処理を行う位相器であり、ＡＴＴ３１は入力信号のレベルを減衰又は増幅する処理を行うレベル制御器である。ＨＰＦ３２は特定周波数より低域成分を除去する処理を行うハイパスフィルタであり、ＰＥＱ３２は入力信号の周波数特性を調整する処理を行い、例えばHIGH、HIGH MID、LOW MID、LOWの４バンドを備えるパラメトリックイコライザとされている。
【００１３】
また、ＧＡＴＥ３４は入力レベルがスレッショルドレベル以下となると出力レベルを急激に小さくするゲート、あるいは、信号をダイナミックにゲインダウンするダッキングの処理を行い、ＣＯＭＰ３５は信号のダイナミックレンジを圧縮するコンプレッサ、信号のダイナミックレンジを伸張するエキスパンダ、あるいは、信号の最大レベルを設定したレベルに抑えるリミッタの処理を行う。ＣＯＭＰ３５からの信号が入力されるＦＡＤＥＲ３６は、入力チャンネルの入力レベルを調整する処理を行うフェーダであり、入力チャンネルがＤＣＡグループに属している場合はＤＣＡグループに属している複数の入力チャンネルのレベルを一括操作するＤＣＡフェーダによっても操作される。ＦＡＤＥＲ３６から出力される入力信号は入力チャンネルのオン／オフを切り換えるスイッチＯＮを介してパンＰＡＮ１に供給され、パンＰＡＮ１により音像の定位が設定されたＬ、Ｒ信号がメインバスであるＳＴバス３８のＬ、Ｒにそれぞれ供給される。
【００１４】
また、入力チャンネルにおいてはサブバスとされるＭＩＸバス３７へ入力信号を供給するサブ経路として「経路１」と「経路２」とが設けられている。「経路１」において、第１の選択スイッチＳＷ１は、第１の信号処理部における複数の信号処理モジュールの任意のポイントを選択している。すなわち、ＦＡＤＥＲ３６を経由したポストフェーダ信号（Ｐ．Ｆ）、ＣＯＭＰ１３５を経由したポストコンプ信号（Ｐ．Ｃ）、ＧＡＴＥ３４を経由したポストゲート信号（Ｐ．Ｇ）、ＰＥＱ３３を経由したポストイコライザ信号（Ｐ．Ｐ）およびＨＰＦ３２を経由したポストハイパス信号（Ｐ．Ｈ）の内のいずれかを第１の選択スイッチＳＷ１は選択している。また、「経路１」にはＰＥＱ３９、ＧＡＴＥ４０、ＣＯＭＰ４１のそれぞれ異なる種類の信号処理を行う複数の信号処理モジュールからなる第２の信号処理部と、ＭＩＸバス３７へ送られる信号のセンドレベルを調整する第１のセンドレベル調整器（ＭＩＸ  ＳＥＮＤ１）４２が挿入されている。この場合、ＰＥＱ３９、ＧＡＴＥ４０、ＣＯＭＰ４１が行う信号処理の種類は、第１の信号処理部におけるＰＥＱ３３、ＧＡＴＥ３４、ＣＯＭＰ３５に対応している。そして、第１の選択スイッチＳＷ１で選択された信号は第２の信号処理部に供給され、各信号処理モジュールによりそれぞれ異なる種類の信号処理が行われ、さらに、パンＰＡＮ２において音像の定位が設定されたＬ、Ｒ信号がサブバスであるＭＩＸバス３７の内の２本のバスにそれぞれ供給される。
【００１５】
また、第２の信号処理部におけるＰＥＱ３９、ＧＡＴＥ４０、ＣＯＭＰ４１には第１の信号処理部における対応するＰＥＱ３３、ＧＡＴＥ３４、ＣＯＭＰ３５に設定されているパラメータ値と同値のパラメータ値、あるいは、任意に設定したパラメータ値のいずれかを指定して設定することができる。さらに、第２の信号処理部におけるＰＥＱ３９、ＧＡＴＥ４０、ＣＯＭＰ４１のそれぞれの信号処理モジュールをバイパスすることで、それぞれの信号処理機能をオフすることができるようにされている。これにより、第１の選択スイッチＳＷ１でいずれのポイントが選択されても選択された信号にイコライザ処理、ゲート処理やコンプレッサ処理を施してサブバスであるＭＩＸバス３７へ送ることができるようになる。この場合、第１の信号処理部に設定されているパラメータ値と異なるパラメータ値を第２の信号処理部における複数の信号処理モジュールに設定することで、メイン経路とは信号処理の内容が異なる信号処理を第２の信号処理部において行うことができるようになる。
【００１６】
次に、「経路２」は「経路１」と同様の構成とされ、第２の選択スイッチＳＷ２も、第１の信号処理部における任意のポイントを選択している。すなわち、ＦＡＤＥＲ３６を経由したポストフェーダ信号（Ｐ．Ｆ）、ＣＯＭＰ１３５を経由したポストコンプ信号（Ｐ．Ｃ）、ＧＡＴＥ３４を経由したポストゲート信号（Ｐ．Ｇ）、ＰＥＱ３３を経由したポストイコライザ信号（Ｐ．Ｐ）およびＨＰＦ３２を経由したポストハイパス信号（Ｐ．Ｈ）の内のいずれかを第２の選択スイッチＳＷ２は選択している。また、「経路２」にはＰＥＱ４３、ＧＡＴＥ４４、ＣＯＭＰ４５のそれぞれ異なる種類の信号処理を行う複数の信号処理モジュールからなる第３の信号処理部と、ＭＩＸバス３７へ送られる信号のセンドレベルを調整する第２のセンドレベル調整器（ＭＩＸ  ＳＥＮＤ２）４６が挿入されている。この場合、ＰＥＱ４３、ＧＡＴＥ４４、ＣＯＭＰ４５が行う信号処理の種類は、第１の信号処理部におけるＰＥＱ３３、ＧＡＴＥ３４、ＣＯＭＰ３５に対応している。そして、第２の選択スイッチＳＷ２で選択された信号は第３の信号処理部に供給され、各信号処理モジュールによりそれぞれ異なる種類の信号処理が行われる。さらに、パンＰＡＮ３において音像の定位が設定されたＬ、Ｒ信号がサブバスであるＭＩＸバス３７の内の２本のバスにそれぞれ供給される。
【００１７】
また、第３の信号処理部におけるＰＥＱ４３、ＧＡＴＥ４４、ＣＯＭＰ４５には第１の信号処理部における対応するＰＥＱ３３、ＧＡＴＥ３４、ＣＯＭＰ３５に設定されているパラメータ値と同値のパラメータ値、あるいは、任意に設定したパラメータ値のいずれかを指定して設定することができる。さらに、第３の信号処理部におけるＰＥＱ４３、ＧＡＴＥ４４、ＣＯＭＰ４５のそれぞれの信号処理モジュールをバイパスすることで、それぞれの信号処理機能をオフすることができるようにされている。これにより、第２の選択スイッチＳＷ２でいずれのポイントが選択されても選択された信号にイコライザ処理、ゲート処理やコンプレッサ処理を施してサブバスであるＭＩＸバス３７へ送ることができるようになる。この場合、第１の信号処理部に設定されているパラメータ値と異なるパラメータ値を第３の信号処理部における各信号処理モジュールに設定することで、メイン経路とは信号処理の内容が異なる信号処理を第３の信号処理部において行うことができるようになる。
【００１８】
ＭＩＸバス３７およびＳＴバス３８には、複数の入力チャンネルから上記した第１の信号処理部ないし第３の信号処理部により信号処理が施された入力信号が選択的に供給されてミキシングされる。そして、ＭＩＸバス３７およびＳＴバス３８においてミキシングされたミキシング信号は図示しない複数の出力チャンネルに出力される。図示していないが各出力チャンネルにおいては、上記したイコライザ処理やコンプレッサ処理およびフェーダ処理等各信号処理モジュールが縦続されて設けられており、この複数の信号処理モジュールによりミキシング信号に信号処理が施される。そして、信号処理が施されて出力チャンネルから出力された出力信号は音声信号出力回路２３から出力されて出力部２２におけるスピーカ等から放音されるようになる。
上記説明したように、本発明の音響機器１においては、ＭＩＸバス３７へ送る信号に施される信号処理の種類および反映されるパラメータを、第１の選択スイッチＳＷ１あるいは第２の選択スイッチＳＷ２においていずれのポイントを選択しても多彩とすることができるようになる。このように、第１の選択スイッチＳＷ１あるいは第２の選択スイッチＳＷ２において選択されたポイントからの信号をＭＩＸバス３７へ送る場合にも多くの信号処理を施せると共に任意のパラメータを反映させることもできるので、より柔軟なオペレートが可能になり、より多くのユーザの要求にこたえることができるようになる。
【００１９】
ところで、第２の信号処理部におけるＰＥＱ３９、ＧＡＴＥ４０、ＣＯＭＰ４１および第３の信号処理部におけるＰＥＱ４３、ＧＡＴＥ４４、ＣＯＭＰ４５は、それぞれの信号処理モジュールをオン／オフする指定をすることができる。この指定を行う際に表示器１６に表示される設定一覧のテーブルの例を図４に示す。図４に示す設定一覧のテーブルは、入力チャンネルの内の入力チャンネル１（ｃｈ１）が選択されてｃｈ１の設定を示す設定一覧とされている。この設定一覧において、「Ｂｕｓ」の欄はＭＩＸバス３７へ送る経路を指定しており、この場合はＭＩＸ１，ＭＩＸ２，ＭＩＸ３・・・のサブ経路が設けられている例とされており、その内のいずれかのサブ経路を指定することができる。「Ｐｏｉｎｔ」の欄はＭＩＸバス３７へ送る信号を取り出すポイントを指定しておりポストフェーダ信号（Post Fader：Ｐ．Ｆ）、ポストコンプ信号（Post Comp(Pre Fader)：Ｐ．Ｃ）、ポストゲート信号（Post Gate(Pre Comp)：Ｐ．Ｇ）、ポストイコライザ信号（Post PEQ(Pre Gate)：Ｐ．Ｐ）およびポストハイパス信号（Post HPF(Pre PEQ)：Ｐ．Ｈ）の内のいずれかを指定することができる。
【００２０】
「ＰＥＱ」「ＧＡＴＥ」「ＣＯＭＰ」の各欄はイコライザ処理、ゲート処理、コンプレッサ処理を行う各信号処理モジュールのオン／オフを指定している。そして、オンが指定された場合には、第１の信号処理部におけるＰＥＱ３３、ＧＡＴＥ３４、ＣＯＭＰ３５に設定されているパラメータ値と同値のパラメータ値を対応する信号処理モジュールに設定する同期設定（On (Synchronization)）、あるいは、第１の信号処理部の各信号処理モジュールに設定されているパラメータ値に関係なくパラメータ値を任意に設定する個別設定（On (Individual)）のいずれかを指定することができる。また、オフが指定された場合は指定された信号処理モジュールはバイパス（Off (Bypass)）される。
【００２１】
図４に示す設定一覧のテーブルにおける例においては、ｃｈ１においてＭＩＸ１のサブ経路からＭＩＸバス３７へ送る信号としてポストハイパス信号（Post HPF(Pre PEQ)：Ｐ．Ｈ）が指定されており、「ＰＥＱ」はオンが指定されてパラメータ値を個別に設定する個別設定（On (Indivi)）が指定されており、「ＧＡＴＥ」もオンが指定されてパラメータ値を個別に設定する個別設定（On (Indivi)）が指定されており、「ＣＯＭＰ」はオンが指定されてＣＯＭＰ３５に設定されているパラメータ値と同値のパラメータ値を設定する同期設定（On (Synchro)）が指定されている。また、ＭＩＸ２のサブ経路からＭＩＸバス３７へ送る信号としては、ポストゲート信号（Post Gate(Pre Comp)：Ｐ．Ｇ）が指定されており、「ＰＥＱ」および「ＧＡＴＥ」はオフ（バイパス）が指定されており、「ＣＯＭＰ」はオンが指定されてパラメータ値を個別に設定する個別設定（On (Indivi)）が指定されている。さらに、ＭＩＸ３のサブ経路からＭＩＸバス３７へ送る信号としては、ポストフェーダ信号（Post Fader：Ｐ．Ｆ）が指定されており、「ＰＥＱ」、「ＧＡＴＥ」および「ＣＯＭＰ」はオフ（バイパス）が指定されている。
【００２２】
図４に示す設定一覧のテーブルにおいて「Ｐｏｉｎｔ」の欄における指定を行う際に、表示器１６上で開くウィンドウの例を図５（ａ）に示す。このウィンドウは、「▼」をクリックして開いたウィンドウが示されており、Post HPF(Pre PEQ)、Post PEQ(Pre Gate)、Post Gate(Pre Comp)、Post Comp(Pre Fader)、Post Faderの内のいずれかを選択することができる。図示する例では、Post HPF(Pre PEQ)が選択されてポストハイパス信号（Ｐ．Ｈ）が指定されている。また、図４に示す設定一覧のテーブルにおいて「ＰＥＱ」の欄における指定を行う際に、表示器１６上で開くウィンドウの例を図５（ｂ）に示す。このウィンドウは、「▼」をクリックして開いたウィンドウが示されており、Off (Bypass)、On (Synchronization)、On (Individual）の内のいずれかを選択することができる。図示する例では、Off (Bypass)が選択されてオフ（バイパス）が指定されている。なお、図示していないが「ＧＡＴＥ」「ＣＯＭＰ」の欄における指定を行う際に開くウィンドウは図５（ｂ）に示すウィンドウと同様とされている。
【００２３】
次に、本発明にかかる音響機器１において各チャンネル毎に実行されるＭＩＸバス３７へ送る信号を作成するバスセンド信号作成処理のフローチャートを図６に示す。
定期的に起動されるタイミングに達したとき、あるいは、音響機器１の電源が投入された際にバスセンド信号作成処理が起動され、設定されている入力チャンネルの各サブ経路からＭＩＸバス３７へ送られるポイントや信号へ施す信号処理の種類およびパラメータ値がステップＳ１０にて図４に示す設定一覧のテーブルを参照して決定される。この場合、設定一覧のテーブルにおいてオンに設定されている信号処理モジュールの信号処理の種類に決定されると共に、オンがOn (Synchronization)とされているかOn (Individual）に応じてパラメータ値が決定される。次いで、ステップＳ１１にて当該チャンネルにおけるセンドレベル調整器（ＭＩＸ  ＳＥＮＤ）に設定されているバスセンドレベルがＭＩＸバス３７へ送るセンドレベルとして決定される。この場合、サブ経路が２以上ある場合はサブ経路別にセンドレベル調整器（ＭＩＸ  ＳＥＮＤ）に設定されているバスセンドレベルに決定される。そして、ステップＳ１０およびステップＳ１１の処理において取得されたパラメータ値が係数としてレジスタにセットされる。レジスタにセットされた係数は各サブ経路の各信号処理モジュールに設定されるが、実際にはＤＳＰ１３が信号処理を行う際のパラメータ値として使用される。これにより、バスセンド信号作成処理は終了する。
【００２４】
次に、バスセンド信号作成処理におけるステップＳ１０にて実行される信号処理決定処理のフローチャートを図７に示す。
信号処理決定処理がスタートすると、ステップＳ２０にて図４に示す設定一覧のテーブルを参照して信号処理設定が取得される。次いで、取得された信号処理設定の内容に基づいて第１の信号処理部における複数の信号処理モジュールからＭＩＸバス３７へ送られるポイント（Send Point）がステップＳ２１にてサブ経路毎に取得される。さらに、取得された信号処理設定の内容に基づいてサブ経路に挿入されている「ＰＥＱ」の信号処理モジュールの設定内容がステップＳ２２にて取得される。ここで取得される設定内容は、On (Synchronization)、On (Individual）、Off (Bypass)のいずれが設定されているか、および、オンと設定されている場合は当該信号処理モジュールに設定するパラメータ値も取得される。さらにまた、取得された信号処理設定の内容に基づいて「ＧＡＴＥ」および「ＣＯＭＰ」の信号処理モジュールの設定内容がステップＳ２３およびステップＳ２４にて取得される。ここで取得される設定内容も、On (Synchronization)、On (Individual）、Off (Bypass)のいずれが設定されているか、および、オンと設定されている場合は当該信号処理モジュールに設定するパラメータ値も取得される。次いで、ステップＳ２１にて取得されたセンドポイント、およびステップＳ２２ないしステップＳ２４にて取得されたパラメータ値に基づいて係数がステップＳ２５にて作成され、信号処理決定処理は終了する。なお、ステップＳ２２ないしステップＳ２４にて取得された設定内容がOff (Bypass)が取得された場合は、当該信号処理モジュールをバイパスする係数が作成される。
【００２５】
次に、信号処理決定処理におけるステップＳ２２において実行されるＰＥＱ設定の取得処理のフローチャートを図８に示す。
ＰＥＱ設定の取得処理がスタートすると、ステップＳ３０において図４に示す設定一覧のテーブルにおける「ＰＥＱ」の欄が参照されて「ＰＥＱ」の設定がサブ経路毎に取得される。図４に示すテーブルの設定一覧を例に挙げると、ＭＩＸ１のサブ経路ではOn (Individual）が取得され、ＭＩＸ２およびＭＩＸ３のサブ経路ではOff (Bypass)が取得される。ここで、設定内容としてOn (Individual）が取得された場合は、ステップＳ３１に分岐して当該サブ経路の「ＰＥＱ」に設定されているパラメータ値が取得される。また、設定内容としてOn (Synchronization)が取得された場合はステップＳ３２に分岐して、メイン経路のＰＥＱ３３に設定されているパラメータ値が取得される。さらに、設定内容としてOff (Bypass)が取得された場合は、そのままＰＥＱ設定の取得処理は終了する。なお、ステップＳ３１およびステップＳ３２の処理が終了した場合もＰＥＱ設定の取得処理は終了する。
なお、信号処理決定処理におけるステップＳ２３およびステップＳ２４において実行されるＧＡＴＥ設定の取得処理およびＣＯＭＰ設定の取得処理のフローチャートは、図８に示すＰＥＱ設定の取得処理のフローチャートと同様とされる。
【産業上の利用可能性】
【００２６】
以上説明した本発明において、音響機器をミキサとしたがこれに限るものではなく、オーディオ信号を扱う汎用の音響機器に適用することができる。
また、入力チャンネルにおいてはＭＩＸバス３７へ入力信号を供給する経路として「経路１」と「経路２」との２つのサブ経路が設けられているとしたが、これに限ることはなく３つ以上の経路を各入力チャンネルに設けるようにしてもよい。
【図面の簡単な説明】
【００２７】
【図１】本発明の実施例にかかる音響機器の概要の構成を示すブロック図である。
【図２】本発明の実施例にかかる音響機器の詳細な構成を示すブロック図である。
【図３】本発明の実施例にかかる音響機器において、音響機器における入力チャンネルとミキシングを行うバスの構成を示すブロック図である。
【図４】本発明の実施例にかかる音響機器において、設定された入力チャンネルの設定一覧のテーブルの例を示す図である。
【図５】図４に示す設定された入力チャンネルの設定一覧のテーブルにおいて「Ｐｏｉｎｔ」および「ＰＥＱ」の欄における指定を行う際に開くウィンドウの例を示す図である。
【図６】本発明の実施例にかかる音響機器において各チャンネル毎に実行されるＭＩＸバスへ送る信号を作成するバスセンド信号作成処理のフローチャートである。
【図７】本発明の実施例の音響機器において実行されるバスセンド信号作成処理のステップＳ１０にて実行される信号処理決定処理のフローチャートである。
【図８】本発明の実施例の音響機器において実行される信号処理決定処理のステップＳ２２において実行されるＰＥＱ設定の取得処理のフローチャートである。
【図９】従来のミキサにおける入力チャンネルとミキシングを行うバスの構成を示すブロック図である。
【符号の説明】
【００２８】
１  音響機器、２  信号処理回路、３  処理回路、４  音声信号入力回路、５  音声信号出力回路、６  操作子、７  表示器、１０  ＣＰＵ、１１  ＲＯＭ、１２  ＲＡＭ、１３  ＤＳＰ、１４  操作子、１５  検出回路、１６  表示器、１７  表示回路、１８  外部機器、１９  通信Ｉ／Ｆ、２０  入力部、２１  音声信号入力回路、２２  出力部、２３  音声信号出力回路、２４  通信バス、３０  Φ、３１  ＡＴＴ、３２  ＨＰＦ、３３，３９，４３  ＰＥＱ、３４，４０，４４  ＧＡＴＥ、３５，４１，４５  ＣＯＭＰ、３６  ＦＡＤＥＲ、３７  ＭＩＸバス、３８  ＳＴバス、４２  第１のセンドレベル調整器、４６  第２のセンドレベル調整器、ＰＡＮ１〜ＰＡＮ３  パン、ＳＷ１  第１の選択スイッチ、ＳＷ２  第２の選択スイッチ
【図１】
2008252171.tif 000003
【図２】
2008252171.tif 000004
【図３】
2008252171.tif 000005
【図４】
2008252171.tif 000006
【図５】
2008252171.tif 000007
【図６】
2008252171.tif 000008
【図７】
2008252171.tif 000009
【図８】
2008252171.tif 000010
【図９】
2008252171.tif 000011